(57)【特許請求の範囲】
【請求項１】
冷凍装置の冷媒回路内に組み込まれ、ステッピングモータにによって開閉される電子膨張弁において、
運転スイッチやサーモスイッチのオフ等の通常の運転停止時には上記ステッピングモータに開方向のパルスを出力して上記膨張弁を一旦全開状態とした後、この全開状態に相当するパルス数に第１加算数を加算したパルス数を閉方向に出力して上記膨張弁を全閉とするとともに電源投入後所定時間経過毎の最初の運転停止時には上記膨張弁を一旦全開状態とした後、上記第１加算数の十倍程度の第２加算数を全開状態に相当するパルス数に加算したパルス数を閉方向に出力して上記膨張弁を全閉状態とすることを特徴とする電子膨張弁の制御方法。
【発明の詳細な説明】
【０００１】
【発明の属する技術分野】
本発明は冷凍装置の冷媒回路内に組み込まれる電子膨張弁の制御方法に関する。
【０００２】
【従来の技術】
従来の電子膨張弁の１例が図５に示されている。
弁本体１には冷媒入口２と冷媒出口３とを結ぶ冷媒流路４が形成され、かつ、この冷媒流路４を開閉するニードル５が上下動自在に嵌装されている。
このニードル５のまわりには雄ねじ６が固定され、この雄ねじ６は雌ねじ７に螺合している。
【０００３】
雌ねじ７はスペーサ８を介して磁石９に固定され、この磁石９を囲むケース14のまわりにはコイル15が巻回されている。
なお、10はピン、11はスライダー、12はガイド、13は心棒、17は止め金具、18はプレート、19はコイルスプリング、20はキャップ、21は下蓋である。
【０００４】
しかして、コイル15に正又は負のパルス電流を通電すると、このパルス数に応じて磁石９、スペーサ８及び雌ねじ７が一体となって回転し、この雌ねじ７と螺合する雄ねじ６及びこれに固定されたニードル５が上下動して冷媒流路４を通る冷媒を絞るようになっている。
【０００５】
冷凍装置の運転停止毎に、電子膨張弁の基準位置を出すため、即ち、全閉状態をＯパルス位置とするため、図６に示すように、停止指令に応じて開方向のパルスを膨張弁が全開となるまで出力して膨張弁を一旦全開状態とし、停止指令の85秒後に全開状態に相当する480 パルスに60パルスを加算した540 パルスを閉方向に出力して膨張弁を全閉状態としている。
【０００６】
【発明が解決しようとする課題】
上記従来の電子膨張弁においては、冷凍装置の運転停止毎にニードル５が弁座に着座して全閉となった後ニードル５が60回弁座に衝突し続けるので、これを繰り返すことによって電子膨張弁の耐久性や信頼性を損なうという問題があった。
【０００７】
【課題を解決するための手段】
本発明は上記課題を解決するために発明されたものであって、その要旨とするところは、冷凍装置の冷媒回路内に組み込まれ、ステッピングモータにによって開閉される電子膨張弁において、運転スイッチやサーモスイッチのオフ等の通常の運転停止時には上記ステッピングモータに開方向のパルスを出力して上記膨張弁を一旦全開状態とした後、この全開状態に相当するパルス数に第１加算数を加算したパルス数を閉方向に出力して上記膨張弁を全閉とするとともに電源投入後所定時間経過毎の最初の運転停止時には上記膨張弁を一旦全開状態とした後、上記第１加算数の十倍程度の第２加算数を全開状態に相当するパルス数に加算したパルス数を閉方向に出力して上記膨張弁を全閉状態とすることを特徴とする電子膨張弁の制御方法にある。
【０００８】
【発明の実施の形態】
本発明の実施形態が図１ないし図４に示されている。
図１及び図２に示すように、冷凍装置の電源スイッチ30が投入されると、タイマー31がセットされてカウントを開始する。
次いで、運転スイッチやサーモスイッチ32のオン等により運転指令が出力されると、通常制御手段33は電子膨張弁34に冷凍負荷に対応する数の開方向のパルスを出力してこれを開とする。
【０００９】
冷凍装置の運転中、運転スイッチやサーモスイッチ32のオフ等による通常の停止指令が出力されると、タイマー31に予め設定された設定時間、例えば、24時間が経過したか否かが確かめられる。
【００１０】
経過していないときには、通常制御手段33が電子膨張弁34に指令してこれを通常停止モードで全閉とする。
【００１１】
通常停止モードでは、図３に示されるように、停止指令が出力されると、電子膨張弁34が全開となるように開方向のパルスが出力され、電子膨張弁34は一旦全開となる。
【００１２】
停止指令後85秒経過したとき、全開状態に相当するパルス数、即ち、480 パルスに予め設定された第１加算数、例えば、15を加算したパルス数、即ち、495 パルスが閉方向に出力され、これによって電子膨張弁34のニードル５は弁座に着座した後、第１加算数15に対応する回数だけ弁座に衝突を繰り返す。
【００１３】
これによってニードル５が弁座に衝突する回数が従来のそれ約60の約1/4 になるので、電子膨張弁34の耐久性、信頼性が大巾に向上する。
【００１４】
この通常停止モードのみを繰り返すと、電子膨張弁34の基準位置がずれるおそれがあるので、電源投入後24時間が経過した後の最初の停止指令は基準値修正制御手段35に入力され、基準値修正制御手段35が電子膨張弁34に指令してこれを基準値修正モードで閉とする。
【００１５】
基準値修正モードでは、図４に示されるように、停止指令が出力されると、電子膨張弁34が全開となるように開方向のパルスが出力され、電子膨張弁34は一旦全開となる。
【００１６】
停止指令後85秒経過したとき、全開状態に相当する480 パルスに予め設定された第２加算数（第１加算数の十倍程度の例えば150)を加算したパルス数、即ち、630 パルスが閉方向に出力され、これによって電子膨張弁34のニードル５は弁座に着座した後、第２加算数150 に対応する回数だけ弁座に衝突を繰り返す。
これによって電子膨張弁34の基準値のずれが修正される。
【００１７】
その後運転指令が再び出力されると、上記を繰り返し、所定時間が経過する毎に基準値のずれが修正されるが、電源スイッチがオフとされると、タイマがオフとされ、スタートに戻る。
【００１８】
【発明の効果】
本発明においては、運転スイッチやサーモスイッチのオフ等の通常の運転停止時にはステッピングモータに開方向のパルスを出力して膨張弁を一旦全開状態とした後、全開状態に相当するパルス数に第１加算数を加算したパルス数を閉方向に出力して膨張弁を全閉状態とするため、電子膨張弁のニードルが弁座に着座した後、これに衝突する回数が従来のものに比し大巾に少なくなるので、電子膨張弁の耐久性、信頼性を大巾に向上しうる。
【００１９】
また、電源投入後所定時間経過毎の最初の運転停止時には膨張弁を一旦全開状態とした後、上記第１加算数の十倍程度の第２加算数を全開状態に相当するパルス数に加算したパルス数を閉方向に出力して膨張弁を全閉状態とするため、電子膨張弁の基準位置のずれを修正することができる。
【図面の簡単な説明】
【図１】本発明の実施形態を示す制御ブロック図である。
【図２】上記実施形態の制御フローチャートである。
【図３】上記実施形態の通常停止モードにおけるパルス数の時間的変化を示す線図である。
【図４】上記実施形態の基準値修正モードにおけるパルス数の時間的変化を示す線図である。
【図５】従来の電子膨張弁の縦断面図である。
【図６】冷凍装置の運転停止時における従来の電子膨張弁へのパルス数の時間的変化を示す線図である。
【図１】
0003649514.tif 000002
【図２】
0003649514.tif 000003
【図３】
0003649514.tif 000004
【図４】
0003649514.tif 000005
【図５】
0003649514.tif 000006
【図６】
0003649514.tif 000007